(57)【要約】【課題】１つの操作釦を１回押下することで、２つの情報表示部の状態に応じて、第１情報表示部の明るさ調整画面を第１情報表示部に表示したり、第２情報表示部の照明を点灯もしくは消灯したりすることを可能にする。【解決手段】撮像手段を有し、第１情報表示部２８と第２情報表示部２９に情報が表示されているときにボタン押下を検知したら、第１情報表示部２８に第１情報表示部の明るさ調整画面を表示し且つ前記第２情報表示部２９の照明を点灯もしくは消灯し、また第１情報表示部２８に情報が表示されていて且つ第２情報表示部２９に情報が表示されていないときにボタン押下を検知したら、第１情報表示部２８に第１情報表示部の明るさ調整画面を表示するシステム制御部５０を設ける。【選択図】図２
2011082695.tif 000002
【特許請求の範囲】
【請求項１】
明るさ調整の可能な第１の表示部と、
表示面を照明することの可能な第２の表示部と、
使用者によって操作される操作部材と、
前記第１の表示部と前記第２の表示部がともに表示状態であるときに、前記操作部材が操作されることで、前記第１の表示部に第１の表示部の明るさ調整を行なう画面を表示するとともに、前記第２の表示部の照明を点灯もしくは消灯する制御手段とを有することを特徴とする撮像装置。
【請求項２】
前記制御手段は、前記第１の表示部が表示状態にあって、且つ前記第２の表示部が非表示状態にあるときに、前記操作部材の操作によって、前記第１の表示部に第１の表示部の明るさ調整を行う画面を表示し、前記第２の表示部の照明は点灯も消灯も行わないことを特徴とする請求項１に記載の撮像装置。
【請求項３】
明るさ調整の可能な第１の表示部と、
表示面を照明することの可能な第２の表示部と、
使用者によって操作される操作部材と、
前記第１の表示部にライブビュー画像が表示されているときに、前記操作部材が操作されることで、前記第１の表示部に第１の表示部の明るさ調整を行なう画面を表示するとともに、前記第２の表示部の照明を点灯もしくは消灯する制御手段を有することを特徴とする撮像装置。
【請求項４】
前記制御手段は、前記第１の表示部に撮影した画像が再生表示されているときに、前記操作部材が操作されることで、前記第１の表示部に第１の表示部の明るさ調整を行う画面を表示し、前記第２の表示部の照明は点灯も消灯も行わないことを特徴とする請求項３に記載の撮像装置。
【発明の詳細な説明】
【技術分野】
【０００１】
本発明は撮像装置に関し、特に、２つの表示部を備えた撮像装置に用いて好適な技術に関するものである。
【背景技術】
【０００２】
例えば、特許文献１では、ＤＶＤやＴＶ等の動画像を表示中に、操作釦を押下することで、表示モード(通常画面より輝度向上や色補正などを行ったモードなど)を切り換えることが提案されている。また、表示部を２つ備えた撮像装置も知られている。
【先行技術文献】
【特許文献】
【０００３】
【特許文献１】特開２００２−１１６７３６号公報
【発明の概要】
【発明が解決しようとする課題】
【０００４】
しかしながら、前述の特許文献１にて提案されている、液晶表示装置の画像切り換え方法では、表示部を２つ備える場合には、操作釦も２つ備えることでそれぞれの表示部の制御を行うこととなる。したがって、表示部の数だけ操作釦を設けることとなる。近年、撮像装置の小型化が進む一方で、表示部のサイズが大型化しているので、操作釦を配置するスペースがないという問題がある。このような問題に対して、操作項目を階層化して、少ない釦で多くの操作を実現しているが、操作が煩雑になり、直感的な操作ができないという問題がある。
本発明は前述の問題点に鑑み、１つの操作部材を操作するだけで、２つの表示部に対して直感的な操作を実現することを目的とする。
【課題を解決するための手段】
【０００５】
本発明の撮像装置は、明るさ調整の可能な第１の表示部と、表示面を照明することの可能な第２の表示部と、使用者によって操作される操作部材と、前記第１の表示部と前記第２の表示部がともに表示状態であるときに、前記操作部材が操作されることで、前記第１の表示部に第１の表示部の明るさ調整を行なう画面を表示するとともに、前記第２の表示部の照明を点灯もしくは消灯する制御手段とを有することを特徴とする。
【発明の効果】
【０００６】
本発明によれば、１つの操作部材を操作するだけで、２つの表示部に対して直感的な操作を実現することができる。
【図面の簡単な説明】
【０００７】
【図１】本発明の第１の実施形態の構成例を説明するブロック図である。
【図２】第１の実施形態の主ルーチンの動作手順を説明するフローチャートである。
【図３】第２の実施形態の主ルーチンの動作手順を説明するフローチャートである。
【図４】第１情報表示部の明るさ調整画面の表示例を示す図である。
【発明を実施するための形態】
【０００８】
以下に、本発明の好ましい実施の形態を、添付の図面に基づいて詳細に説明する。
（第１の実施形態）
図１は、本発明の第１の実施形態に係る撮像装置の全体構成を示すブロック図である。
＜全体構成＞
図１において、撮像装置１００は光学像を電気信号に変換する撮像部１４を有する。
レンズユニット３００に配置されているレンズ３１０に入射した光線は、光学像として撮像部１４上に結像し、電気信号に変換されて出力される。撮像部１４から出力される電気信号はＡ／Ｄ変換器１６に供給される。Ａ／Ｄ変換器１６は、撮像部１４から出力されるアナログ信号出力をディジタル信号に変換する。
【０００９】
タイミング発生部１８は、撮像部１４、Ａ／Ｄ変換器１６、及びＤ／Ａ変換器２６にクロック信号や制御信号を供給する。タイミング発生部１８は、メモリ制御部２２及びシステム制御部５０により制御される。
【００１０】
画像処理部２０は、Ａ／Ｄ変換器１６からのデータ或いはメモリ制御部２２からのデータに対して所定の画素補間処理や色変換処理を行う。また、画像処理部２０においては、必要に応じて、撮像した画像データを用いて所定の演算処理を行う。システム制御部５０は、得られた演算結果に基づいて、撮像した画像データを用いて所定の演算処理を行う。
【００１１】
メモリ制御部２２は、Ａ／Ｄ変換器１６、タイミング発生部１８、画像処理部２０、画像表示メモリ２４、Ｄ／Ａ変換器２６を制御する。Ａ／Ｄ変換器１６から出力されるデータが画像処理部２０及びメモリ制御部２２を介して画像表示メモリ２４に書き込まれる、或いはＡ／Ｄ変換器１６から出力されるデータがメモリ制御部２２を介して、画像表示メモリ２４に書き込まれる。
【００１２】
第１の表示部２８はＴＦＴ型の液晶表示ユニットであり、第２の表示部２９は７セグメント等の固定セグメントからなる液晶表示ユニットである。画像表示メモリ２４に書き込まれた表示用の画像データは、Ｄ／Ａ変換器２６を介して第１の表示部２８により表示される。多くの場合、撮像装置１００の背面に配される画像表示用の第１の表示部２８を用いて撮像した画像データを逐次表示すれば、電子ファインダやライブビュー機能を実現することが可能である。また、第１の表示部２８は、操作部６４の操作によって、撮像装置１００の設定画面や撮像装置１００の設定値や状態を表示したりする。
【００１３】
第２の表示部２９は、撮像装置１００の上面に配されることが多く、固定セグメントの表示・非表示によって撮像装置１００の設定値や状態を表示する。また、第２の表示部２９は、第２の表示部２９の表示面を照らす照明を備えており、操作部材としての照明ボタン６３の操作によって、この照明を点灯したり消灯したりすることができる。５０は撮像装置１００全体を制御するシステム制御部、メモリ５２はシステム制御部５０の動作用の定数や、変数、プログラム等を記憶する。
【００１４】
第１のシャッタースイッチ６１はシャッタースイッチ（ＳＷ１）であり、シャッターボタン（図示せず）の第１ストローク操作途中でＯＮとなる。そして、ＡＦ（オートフォーカス）処理、ＡＥ（自動露出）処理、ＡＷＢ（オートホワイトバランス）処理、ＥＦ（フラッシュ調光）処理などの動作開始を指示する。
【００１５】
第２のシャッタースイッチ６２はシャッタースイッチ（ＳＷ２）であり、シャッターボタン（図示せず）の操作完了第２ストロークでＯＮとなる。
この第２のシャッタースイッチ（ＳＷ２）６２は、撮像部１４から読み出した信号をＡ／Ｄ変換器１６、メモリ制御部２２を介してメモリ３０に画像データを書き込む露光処理、画像処理部２０やメモリ制御部２２での演算を用いた現像処理をする。
【００１６】
照明ボタン６３は、撮像装置１００の使用者に操作されるものであって、第２の表示部２９の照明の点灯もしくは消灯を指示する。操作部６４は各種ボタンやタッチパネル等からなり、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。また、上記プラスボタン及びマイナスボタンの各機能は、回転ダイアルスイッチや十字スイッチや８方向スイッチを備えることによって、より軽快に数値や機能を選択することが可能となる。
【００１７】
次に、図２のフローチャートを参照しながら、照明ボタン６３を１回押下するだけで、第１の表示部２８及び第２の表示部２９の状態に応じて行われる表示部制御の処理手順の一例を説明する。この例では、照明ボタン６３が押下されることで、第１の表示部２８に第１の表示部２８の明るさ調整画面を表示したり、第２の表示部２９の照明を点灯もしくは消灯したりする。以下の表示部制御処理は、システム制御部５０により行われる。したがって、システム制御部５０は制御手段として機能する。
【００１８】
表示部制御処理が開始されると、まず、Ｓ２０１で、照明ボタン６３が押下されたことを検知する。その後、Ｓ２０２に進む。
Ｓ２０２では、第１の表示部２８に画像または情報が表示され、且つ第２の表示部２９に情報が表示されているかを判断する。すなわち、第１の表示部２８および第２の表示部２９がともに表示状態であるかどうかを判定している。この判断の結果、「ＹＥＳ」の場合はＳ２０５に進み、「ＮＯ」の場合にはＳ２０３に進む。
【００１９】
Ｓ２０３では、第１の表示部２８に画像または情報が表示され且つ第２の表示部２９に情報が表示されていないかを判断する。すなわち、第１の表示部２８が表示状態であって第２の表示部２９が非表示状態であるかどうかを判定している。この判断の結果、「ＹＥＳ」の場合はＳ２０６に進み、「ＮＯ」の場合にはＳ２０４に進む。Ｓ２０４では、第１の表示部２８に画像または情報が表示されておらず、且つ第２の表示部２９に情報が表示されているかを判断する。すなわち、第１の表示部２８が非表示状態であって第２の表示部２９が表示状態であるかどうかを判定している。この判断の結果、「ＹＥＳ」の場合はＳ２０７に進み、「ＮＯ」の場合にはエンド処理に進む。
【００２０】
Ｓ２０５では、第１の表示部２８に図４に示す明るさ調整画面を表示し、第２の表示部２９の照明が消灯状態であれば、照明を点灯し、第２の表示部２９の照明が点灯状態であれば、照明を消灯する。図４は第１の表示部２８の明るさを調整するための明るさ調整画面である。明るさ調整画面を表示した状態で、操作部６４を操作することで、自動明るさ調整と手動明るさ調整とを切り換えられる。また、手動明るさ調整に切り換えられる際には、第１の表示部２８の明るさを１〜７までの７つのレベルのいずれかに変更することができる。明るさ調整画面は図４に示すようにグラデーションパターンが表示され、明るさ調整の目安となる。
【００２１】
Ｓ２０６では、第１の表示部２８に第１の表示部の明るさ調整画面４０１を表示する。このとき、第２の表示部２９は情報が表示されていない状態のままであり、第２の表示部２９の照明を点灯しない。
Ｓ２０７では、第２の表示部の照明が消灯状態であれば、照明を点灯し、第２の表示部２９の照明が点灯状態であれば、照明を消灯する。このとき、第１の表示部２８には、画像または情報が表示されていない状態のままであり、第１の表示部２８に明るさ調整画面を表示しない。
【００２２】
このようにして、ユーザは照明ボタン６３を１回押下するだけで、第１の表示部２８及び第２の表示部２９の状態に応じて、操作部６４による第１の表示部２８の明るさ調整画面の表示操作よりも直感的な操作が実現できる。例えば、第１の表示部２８に画像または情報が表示され、且つ第２の表示部２９に情報が表示されている場合には、第１の表示部２８に第１の表示部の明るさ調整画面を表示するとともに、第２の表示部２９の照明を点灯もしくは消灯することができる。
【００２３】
また、第１の表示部２８に情報が表示され、且つ第２の表示部２９に画像または情報が表示されていない場合には、第１の表示部２８に第１の表示部２８の明るさ調整画面４０１を表示することができる。さらに、第１の表示部２８に画像または情報が表示されておらず、且つ第２の表示部２９に情報が表示されている場合には、第２の表示部２９の照明を点灯もしくは消灯することができる。
【００２４】
（第２の実施形態）
以下、図３を参照して本発明の第２の実施形態を説明する。本実施形態においては、照明ボタン６３を１回押下するだけで、第１の表示部２８の表示内容に応じて、第１の表示部２８に第１の表示部２８の明るさ調整画面を表示したり、第２の表示部２９の照明を点灯もしくは消灯したりする撮像装置について説明する。
【００２５】
図３は、第２の実施形態の特徴を示すフローチャートである。
処理が開始されると、まず、Ｓ３０１で、照明ボタン６３が押下されたことを検知する。その後、Ｓ３０２に進む。
Ｓ３０２では、第１の表示部２８にライブビュー画像が表示されているかを判断する。この判断の結果、「ＹＥＳ」の場合はＳ３０５に進み、「ＮＯ」の場合にはＳ３０３に進む。
【００２６】
Ｓ３０３では、第１の表示部２８に撮影した画像が再生表示されているかを判断する。この判断の結果、「ＹＥＳ」の場合はＳ３０６に進み、「ＮＯ」の場合にはＳ３０４に進む。
Ｓ３０４では、第２の表示部２９に情報が表示されているかを判断する。この判断の結果、「ＹＥＳ」の場合はＳ３０７に進み、「ＮＯ」の場合にはエンド処理に進む。
【００２７】
Ｓ３０５では、第１の表示部２８に図４に示す第１の表示部の明るさ調整画面４０１を表示し、第２の表示部２９の照明が消灯状態であれば、照明を点灯し、第２の表示部２９の照明が点灯状態であれば、照明を消灯する。
Ｓ３０６では、第１の表示部２８に第１の表示部の明るさ調整画面４０１を表示する。このとき、第２の表示部２９は情報が表示されていない状態のままであり、第２の表示部２９の照明を点灯しない。
Ｓ３０７では、第２の表示部２９の照明が消灯状態であれば、照明を点灯し、第２の表示部２９の照明が点灯状態であれば、照明を消灯する。
【００２８】
このようにして、ユーザは照明ボタン６３を１回押下するだけで、第１の表示部２８の表示内容がライブビュー画像か、再生画像かに応じて、第１の表示部２８に明るさ調整画面を表示するとともに、第２の表示部２９の照明を点灯もしくは消灯することができる。これにより、操作部６４による第１の表示部２８の明るさ調整画面の表示操作よりも直感的な操作が実現できる。
以上、本発明の好ましい実施形態について説明したが、本発明はこれらの実施形態に限定されず、その要旨の範囲内で種々の変形及び変更が可能である。
【符号の説明】
【００２９】
１４  撮像部、１６  Ａ／Ｄ変換器、１８  タイミング発生部、２０  画像処理部、２２  メモリ制御部、２４  画像表示メモリ、２６  Ｄ／Ａ変換器、２８  第１情報表示部、２９  第２情報表示部、３０  メモリ、５０  システム制御部、５２  メモリ、６１  シャッタースイッチＳＷ１、６２  シャッタースイッチＳＷ２、６３  照明ボタン、６４  操作部、１００  撮像装置、３００  レンズユニット、３１０  レンズ
【図１】
2011082695.tif 000003
【図２】
2011082695.tif 000004
【図３】
2011082695.tif 000005
【図４】
2011082695.tif 000006